(57)【要約】【課題】配送荷物に添付する帳票を別に準備する必要がなく、プリンタにセットして配達票などとともに一体に印字・印刷して送り状を形成し、納品書などの添付票を一体に貼り付けて配送に供することができるようにする。【解決手段】送り状１を、中間シート１１の表面側に情報印字用シート１２を剥離可能に接着し、中間シート１１の裏面側に粘着剤層１４を設け、これを離型紙１５で被覆保護して形成する。情報印字用シート１２及び中間シート１１を分断線４により、第１のシート体２とこれよりも小面積な第２のシート体３に区画する。第２のシート体３を第１のシート体２の裏面内に貼り合わせ、この第１のシート体２を、第２のシート体３の情報印字用シート１２側を下側に向けて荷物の表面に貼り付けて荷物配送に供する。【選択図】図１
2018192711.tif 000002
【特許請求の範囲】
【請求項１】
配送する荷物に貼られる送り状であって、中間シートの表面側に情報印字用シートが剥離可能に接着され、中間シートの裏面側に粘着剤層が設けられ、この粘着剤層が離型紙で被覆保護された構成を有する送り状において、
前記情報印字用シート及び中間シートが、情報印字用シートの表面から離型紙の上面に至る深さに設けられた分断線により、第１のシート体と当該第１のシート体よりも面積が小さな第２のシート体に区画されて形成され、
第１のシート体から分断し、離型紙が剥がされて粘着剤層が露出した第２のシート体の中間シートが、同じく粘着剤層が露出した第１のシート体の中間シートの裏面内に貼り付けられ、この第１のシート体が前記第２のシート体の情報印字用シート側を下側に向けて荷物の表面に貼り付けられるように設けられた構成を有することを特徴する送り状。
【請求項２】
第１のシート体の表面であって、第１のシート体と第２のシート体を区画する分断線の近傍に、情報印字用シートの表面から離型紙の上面に至る深さに設けられた切り取り破断線が設けられた構成を有する請求項１に記載の送り状。
【請求項３】
第２のシート体の上下辺間の寸法（Ａ２）が第１のシート体の上下辺間の寸法（Ａ１）よりも小さく設定された（Ａ２＜Ａ１）構成を有することを特徴とする請求項１又は２に記載の送り状。
【請求項４】
第２のシート体は、その左右側辺間の寸法（Ｂ２）が第１のシート体の左右側辺間の寸法（Ｂ１）よりも小さく設定された（Ｂ２＜Ｂ１）部分を有することを特徴とする請求項１から３の何れかに記載の送り状。
【請求項５】
第２のシート体の左右側辺の一方又は両方に、内方へ凹んだ凹部を設けた構成を有することを特徴とする請求項１から４の何れかに記載の送り状。
【請求項６】
第１のシート体の情報印字用シートがその表面から中間シートの上面に至る深さに設けられた分断線により二つの領域に区画され、その一方の領域に配達票印字部、他方の領域に貼付票印字部がレイアウトされているとともに、第２のシート体の情報印字用シートに添付票印字部がレイアウトされた構成を有することを特徴とする請求項１から５の何れかに記載の送り状。
【請求項７】
第１のシート体の情報印字用シートの配達票印字部の縁部と、第２のシート体の情報印字用シートに添付票印字部の縁部に、糊殺しがなされた非接着部の剥がし口が設けられた構成を有することを特徴とする請求項６に記載の送り状。
【発明の詳細な説明】
【技術分野】
【０００１】
本発明は、インクジェトプリンタや感熱プリンタなどのプリンタを用いてシート表面に荷物の配送に関わる各種情報を印字・印刷して作製される送り状に関する。
【背景技術】
【０００２】
荷物の配送に用いられる送り状として、例えば荷物を梱包した箱に貼り付けるラベル式伝票に、チラシや荷物の明細を表示した納品書を収納することのできるポケット部を一体に設けた構成のものが知られている（例えば特許文献１参照）。
【先行技術文献】
【特許文献】
【０００３】
【特許文献１】特開２００４−５４０７４号公報
【発明の概要】
【発明が解決しようとする課題】
【０００４】
ポケット付きの送り状は、チラシや納品書を荷物の梱包前に箱に入れる作業は不要となるものの、構造が複雑なため製作コストがアップすることは避けられず、また、チラシ類を収納したポケット部が箱の表面に貼り付けられていると、荷物を多段に積み上げて配送したときなどに、上段の箱の底が下段の箱に貼られた送り状の表面で擦れてポケット部を破り、収納したチラシ類を露出させたり脱落させたりする虞があった。
【０００５】
また、送り状とそのポケット部に入れるチラシや納品書は別体であり、チラシ類は送り状とは別に印刷しておく必要があった。納品書を添付して多数の荷物を発送する場合は、別々に印刷するなどした送り状と納品書を準備し、荷物とこれに貼り付ける送り状及び添付する納品書を対応させながら送り状の貼り付け作業をする必要があるため荷造りのための作業が極めて煩雑となり、また、納品書が送り状と分離していると、納品書を紛失し易いという問題もあった。
【０００６】
本発明は従来の技術の有するこのような問題点に鑑み、配送荷物に添付する帳票を別に準備する必要がなく、プリンタにセットして配達票などとともに一体に印字・印刷して送り状を形成することができ、取り扱いが簡便で箱に貼り付ける際の作業性や情報の秘匿性に優れ、荷物を梱包した箱に納品書などの添付票を一体に貼り付けて配送に供することができるようにすることを課題とする。
【課題を解決するための手段】
【０００７】
前記課題を解決するため本発明は、配送する荷物に貼られる送り状であって、中間シートの表面側に情報印字用シートが剥離可能に接着され、中間シートの裏面側に粘着剤層が設けられ、この粘着剤層が離型紙で被覆保護された構成を有する送り状において、
前記情報印字用シート及び中間シートが、情報印字用シートの表面から離型紙の上面に至る深さに設けられた分断線により、第１のシート体と当該第１のシート体よりも面積が小さな第２のシート体に区画されて形成され、
第１のシート体から分断し、離型紙が剥がされて粘着剤層が露出した第２のシート体の中間シートが、同じく粘着剤層が露出した第１のシート体の中間シートの裏面内に貼り付けられ、この第１のシート体が前記第２のシート体の情報印字用シート側を下側に向けて荷物の表面に貼り付けられるように設けられた構成を有することを特徴する。
【０００８】
前記送り状は、例えば、第１のシート体の情報印字用シートがその表面から中間シートの上面に至る深さに設けられた分断線により二つの領域に区画され、その一方の領域に配達票印字部、他方の領域に貼付票印字部がレイアウトされているとともに、第２のシート体の情報印字用シートに、荷物に添付する帳票であり、荷物の納品書や明細票、請求書などの添付票印字部がレイアウトされた構成とすることができる。
【０００９】
本発明の送り状は、これをプリンタにセットし、その表面に配達票、貼付票及び納品書などの添付票の各票に係る情報を印字・印刷して、荷物配送に用いる送り状を作製することができる。納品書や明細票などを送り状とは別に作製しておく必要はない。
送り状を荷物に貼り付けるには、表面に配達票と貼付票が印字・印刷された第１のシート体と、添付票が印字・印刷された第２のシート体を分断線に沿って両シートの背面側へ折り曲げて、第２のシート体を第１のシート体から分離し、両シート体から離型紙を剥がして中間シートの粘着剤層を露出させるとともに、互いに粘着剤層が露出した第１のシート体の中間シートの裏面内に第２のシート体の中間シートの裏面を重ね合わせて一体に貼り合わせ、これを荷物が梱包された箱の表面に、前記第２のシート体の情報印字用シート側を下側に向けて貼り付けることにより行うことができる。
【００１０】
これによれば、第２のシート体の面積は第１のシート体よりも小さいため、第１のシート体に第２のシート体を重ね合わせると、第２のシート体全体が第１のシート体で覆い隠され、且つ第２のシート体の周りに第１のシート体の周辺縁部が張り出す。よって、第２のシート体を第１のシート体から分離し、第１のシート体の粘着剤が露出した中間シートに第２のシー体を貼り合わせれば、第２のシート体の全体を第１のシート体で覆って荷物に貼り付けることができる。第２のシート体の全体が第１のシート体で覆われるので、荷物の配送中に送り状に外力が加わっても、第１のシート体が剥がれたり破れたりし難く、第２のシート体が抜け落ちるようなことはない。
そして、荷物の配送完了後、第１のシート体を荷物から引き剥がして裏側を捲り上げれば、中間シートの裏面に貼り付けられていた第２のシート体が露出し、当該シート体表面の情報印字用シートを引き剥がすことで、納品書などの添付票を取り出すことが可能である。
【００１１】
前記構成の送り状において、箱に貼り付けた送り状から第２のシート体を取り出す際に、第１のシート体の捲り上げる操作がし易いように、第１のシート体の表面であって、第１のシート体と第２のシート体を区画する分断線の近傍に、情報印字用シートの表面から離型紙の上面に至る深さに設けられた切り取り破断線が設けられていることが好ましい。
【００１２】
また、裏面に第２のシート体が貼り合わされた第１のシート体が荷物に確実に貼り付けられるようにするため、第１のシート体と第２のシート体は、第２のシート体の上下辺間の寸法（Ａ２）が第１のシート体の上下辺間の寸法（Ａ１）よりも小さく設定された（Ａ２＜Ａ１）寸法に設けることができる。
また、第２のシート体は、その左右側辺間の寸法（Ｂ２）が第１のシート体の左右側辺間の寸法（Ｂ１）よりも小さく設定された（Ｂ２＜Ｂ１）部分を有する寸法形状に設けることができる。
或いは、第２のシート体の左右側辺の一方又は両方に、内方へ凹んだ凹部を設けた形状寸法に設けてもよい。
【００１３】
また、前記構成の送り状において、中間シートから情報印字用シートを容易に引き剥がすことができるように、第１のシート体の情報印字用シートの配達票印字部の縁部と、第２のシート体の情報印字用シートに添付票印字部の縁部には、糊殺しがなされた非接着部の剥がし口が設けられていることが好ましい。
【００１４】
前記構成の送り状において、剥離可能に接着するとは、例えば感圧接着剤などを用いて接着し、接着後に手で剥がそうとすれば容易に剥がすことができるように疑似接着していることを意味する。
第１のシート体と第２のシート体を区画するシート分断線は、シートを分断するために入れられた切れ目であるスリットやミシン目などにより形成することができる。綺麗に分断することができ且つ操作がし易いことからスリットであることが好ましい。スリットは、その全体に切れ目を連続させたものの他、スリット線上にアンカット部を適宜断続的に配置した構成のものでもよい。
また、切り取り破断線は、当該破断線の境界を容易に折り曲げることができるように加工された線であり、シートの表面に罫線刃を適宜な深さに差し入れて設けた折れ筋やミシン目などにより形成することができる。
【図面の簡単な説明】
【００１５】
【図１】本発明の送り状の一実施形態の外観図である。
【図２】図１の送り状の表面を印刷する前の外観図である。
【図３】図２の送り状の中央縦断面の部分拡大図である。
【図４】図２中のＩＶ−ＩＶ線に沿った部分拡大図である。
【図５】図２の送り状の離型紙を剥離した状態の裏面図である。
【図６】（Ａ），（Ｂ）は第２シート体を第１シート体の裏面に貼り付ける操作を説明するための図である。
【図７】第２シート体を第１シート体に貼り付けた図２の送り状の裏面図である。
【図８】図２の送り状を箱に貼り付けた状態の外観図である。
【図９】箱に貼り付けた送り状から第２のシート体を取り出す操作を説明するための図である。
【図１０】（Ａ），（Ｂ）及び（Ｃ）は本発明の他の実施形態の要部外観図である。
【発明を実施するための形態】
【００１６】
本発明の好適な実施形態を、図面を参照して説明する。
図１は本発明の送り状の一例を示しており、この送り状１は、その表面に配達票、貼付票及び納品書の印字・印刷領域を配置し、プリンタにセットしてこれらの帳票に荷物配送に関する情報と荷物の明細に関する情報を一度に印字・印刷して形成することができるとともに、納品書を配達票及び貼付票と一体に、荷物を梱包した箱の表面に貼り付けて配送に供することができるように構成されたものである。
【００１７】
詳しくは、送り状１は、図２及び図３に示されるように、平面視縦長矩形状の中間シート１１の表面側に疑似接着剤層１３を介して、中間シート１１と同形同寸の情報印字用シート１２が剥離可能に接着され、中間シート１１の裏面側には粘着剤層１４が設けられ、この粘着剤層１４を剥離紙１５で被覆保護して形成されているとともに、前記情報印字用シート１２及び中間シート１１を、情報印字用シート１２の表面から離型紙１５の上面に至る深さに設けられた分断線４により、第１のシート体２と第２のシート体３に区画して形成してある。
【００１８】
分断線４は、送り状１の中央よりも下側の位置で当該送り状の左右の両長手辺間に亘って形成されており、分断線４によって区画された第１のシート体２と第２のシート体３の上下辺間の寸法は、第２のシート体３の上下辺間の寸法（Ａ２）が第１のシート体の上下辺間の寸法（Ａ１）よりも小さくなるように設定してある（Ａ２＜Ａ１）。
また、第２のシート体３の左右側辺には、図４に示されるように、情報印字用シート１２から粘着剤層１４までを切除した切り欠け部３１，３１が形成されており、第２のシート体３の切り欠け部３１，３１が形成された部分ではその間の寸法（Ｂ２）が第１のシート体２の左右側辺間の寸法（Ｂ１）よりも小さくなるように設定してある（Ｂ２＜Ｂ１）。
【００１９】
また、第１のシート体２の表面であって、前記分断線４の近傍には、情報印字用シート１２の表面から離型紙１５の上面に至る深さに設けられた切り取り破断線５が、送り状１の左右の長手両側辺間に亘って形成してある。
また、第１のシート体２の中間シート１１の裏面には、図５に示されるように、離型紙１５を剥がしたときに、後述する第２のシート体３を貼り付ける位置を示す表示（納品書貼付位置）が粘着剤層１４を透過して視認表示できるように設けてある。
【００２０】
また、図２に示されるように、第１のシート体２の情報印字用シート１２はその表面から中間シート１１の上面に至る深さに設けられた分断線６により、配達票印字部２１と貼付票印字部２２に区画され、第２のシート体３の情報印字用シート１２の表面は添付票である納品書印字部がレイアウトされており、さらに、第１のシート体２の情報印字用シート１２の配達票印字部２１の隅角部の縁部と、第２のシート体３の情報印字用シート１２の四隅角部の縁部は、糊殺しがなされた非接着部の剥がし口７が形成してある。
【００２１】
なお、中間シート１１は薄肉なタックシートを用いることができ、情報印字用シート１２は上質紙からなる腰のあるやや肉厚な紙を用いることができ、
疑似接着剤層１３としては、感圧接着剤や感熱接着剤、再湿接着剤などの剥離可能な接着剤が用いられ、フレキソ法、グラビア法などの公知の印刷又はコーティング法によって適宜な厚みに塗布し、接着剤が乾燥していない状態で貼り合わせるウェット方式や熱圧着方式、感圧方式によって貼り合わせることができる。また、中間シート１１の裏面側に設ける粘着剤層１４としては、アクリル系粘着剤や天然ゴム系粘着剤、合成ゴム系粘着剤などを用いることもできる。
【００２２】
このように構成された本形態の送り状１は、これをプリンタにセットして、第１のシート体２の表面に配達票と貼付票を構成する荷物配送に関する情報、第２のシート体３の表面に配送する荷物の明細を含む納品書に関する情報を印字・印刷して作製し、荷物を梱包した箱に貼り付けて荷物を配送に供することができる。
【００２３】
送り状１を箱に貼り付けるには、図６に示されるように、分断線４に沿って第２のシート体３を送り状１の背面側へ折り曲げながら、第２のシート体３を第１のシート体２から分離し、両シート体２，３から離型紙１５を剥がして中間シート１１の粘着剤層１４を露出させる。
次いで、互いに粘着剤層１４が露出した第１のシート体２の中間シート１１の裏面内に第２のシート体３の中間シート１１の裏面を重ね合わせて一体に貼り合わせる。第２のシート体３を第１のシート体２の裏面に貼り合わせた状態で、図７に示されるように、第２のシート体３は第１のシート体２の裏面内に位置し、第２のシート体３の上下両側には第１のシート体２の粘着剤層１４が露出し、また、第２のシート体３の左右に切り欠け部３１，３１の部分でも第１のシート体２の粘着剤層１４が露出し、つまり、第２のシート体３はその周辺部が粘着剤１４で囲われた状態となる。
そして、図８に示されるように、裏面側に第２のシート体３が貼り付けられた第１のシート体２を、荷物が梱包された箱８の表面に、前記第２のシート体３の情報印字用シート１２側を下側に向けて貼り付けることで送り状１の荷物への貼り付けが完了する。
【００２４】
送り状１が貼り付けられた荷物は、荷主から発送されて配送業者により受取主へと配達され、配送業者は送り状１から配達票２１を剥がして持ち帰る。
このとき、配達票２１の隅角部の縁部に剥がし口７が設けてあるので、剥がし口７を指で摘まんで引っ張れば、配達票２１を、分断線４に沿って貼付票２２と、分断線６に沿って第２のシート体３の納品書とそれぞれ分離させつつ中間シート１１からスムーズに引き剥がすことができる。
【００２５】
そして、荷物の受取主において、図９に示されるように、送り状１をその破断線５に沿って分断して捲り上げれば、前記第１のシート体２の裏面側に貼り付けられた第２のシート体３が露出する。
この第２のシート体３の表面の情報印字用シート１２を、その隅角部の縁部に設けられた剥がし口７を摘まんで中間シート１１から引き剥がすことで、箱を開封する前に梱包した荷物の納品書を取り出すことができる。
【００２６】
図１０は、他の形態の送り状１を示している。第１のシート体２の裏面側に第２のシート体３を確実に貼り付けることができれば、同図に示されるように、第２のシート体３の左右側辺の一側にのみ切り欠け部３１を設けたり（同図（Ａ））、第２のシート３の左右側辺間全体を第１のシート体２の幅よりも細幅にしたりしてもよい（同図（Ｂ））。また、前記切り欠け部３１に代えて、第２のシート体３の左右側辺一方又は両方に、内方へ凹んだ複数の凹部３２を設けてもよい（同図（Ｃ））。
【００２７】
なお、図示した送り状１は、その表面に配達票、貼付票及び納品書をレイアウトしたものであるが、配達票や貼付票に代えて或いはこれとともに領収書をレイアウトしてもよく、納品書に代えて或いはこれとともに明細票や請求書をレイアウトしてもよい。
図示した送り状の形態は本発明の実施態様の一例を示すものであり、本発明はこれに限定されず、利用する帳票やラベルの形態などに応じて適宜な形態で構成することが可能である。
【符号の説明】
【００２８】
１  送り状、１１  中間シート、１２  情報印字用シート、１３  疑似接着剤層、１４  粘着剤層、１５  離型紙、２  第１のシート体、２１  配達票印字部（配達票）、２２  貼付票印字部（貼付票）、３  第２のシート体、３１  切り欠け部、３２  凹部、４  分断線、５  破断線、６  分断線、７  剥がし口、８  梱包箱
【図１】
2018192711.tif 000003
【図２】
2018192711.tif 000004
【図３】
2018192711.tif 000005
【図４】
2018192711.tif 000006
【図５】
2018192711.tif 000007
【図６】
2018192711.tif 000008
【図７】
2018192711.tif 000009
【図８】
2018192711.tif 000010
【図９】
2018192711.tif 000011
【図１０】
2018192711.tif 000012